(57)【特許請求の範囲】
【請求項１】
収納可能エクササイズベンチであって、
第１の床支持体及び第２の床支持体に作動可能に連結されている少なくとも１つのビームを有するフレームと、
前記フレームに支持されたシートと、
前記フレームに回転可能に連結されたバックレストと、
前記少なくとも１つのビームと作動可能に連結されている部材と、を備え、
前記収納可能エクササイズベンチは、
前記エクササイズベンチが、前記第１の床支持体及び前記第２の床支持体が前記少なくとも１つのビーム及び前記部材を支持する作動ポジションにある時に、前記少なくとも１つのビームが支持面に対してほぼ水平に延び、
前記エクササイズベンチが、前記第２の床支持体及び前記部材が、前記支持面の上方に前記少なくとも１つのビーム及び前記第１の床支持体を支持する収納ポジションに配置されたときに、前記少なくとも１つのビームが支持面に対してほぼ垂直に延びる、
ように構成されている、
ことを特徴とする収納可能エクササイズベンチ。
【請求項２】
前記部材は、前記エクササイズベンチを前記収納ポジションに安定的に支持するために前記部材を使用できない第１ポジションと、前記エクササイズベンチを前記収納ポジションに安定的に支持するために前記部材を使用できる第２ポジションとの間を、選択的に移動可能である、
請求項１に記載の収納可能エクササイズベンチ。
【請求項３】
前記部材が第１ポジションから第２ポジションへの動きを抑制される第１ポジションと、前記部材が第１ポジションから第２ポジションへと自由に動く第２ポジションとの間を移動可能なシートを更に備える、
請求項２に記載の収納可能エクササイズベンチ。
【請求項４】
前記部材に作動可能に連結された足首パッドを更に備え、
前記足首パッドは、前記シートが前記第１ポジションにあるとき、前記シートに接触することによって第２ポジションへの前記部材の動きを抑制する、
請求項３に記載の収納可能エクササイズベンチ。
【請求項５】
前記少なくとも１つのビーム内に形成されたトラック内に少なくとも部分的に受けられるシートポストを備え、
前記トラックは、前記トラック内の前記シートポストの動きが、第１ポジションと第２ポジションの間で前記シートを動かすように形作られている、
請求項３に記載の収納可能エクササイズベンチ。
【請求項６】
前記トラックは、Ｖ字形状あるいはＵ字形状である、
請求項５に記載の収納可能エクササイズベンチ。
【請求項７】
前記部材は、前記収納ポジションで前記エクササイズベンチを支持するように、前記第２の床支持体と組み合わさって三脚状支持構造を形成する、
請求項１に記載の収納可能エクササイズベンチ。
【請求項８】
前記第２の床支持体は、Ｕ字形状である、
請求項７に記載の収納可能エクササイズベンチ。
【請求項９】
前記フレームを前記支持面上で回転可能に支持するように作動可能なホイールと、
前記ホイールを少なくとも部分的に覆うようにホイールと作動的に関連しているホイールハウジングと、を更に備え、
前記ホイールハウジングは、直立ポジションで前記エクササイズベンチを支持するように配置されている、
請求項１ないし８のいずれか１項に記載の収納可能エクササイズベンチ。
【請求項１０】
前記部材を前記第１ポジション及び前記第２ポジションに選択的に位置決めするように作動可能な調節組立体を更に備える、
請求項２ないし６のいずれか１項に記載の収納可能エクササイズベンチ。
【請求項１１】
前記調節組立体が、
前記フレームに関連して作動可能である第１及び第２の戻り止めと、
前記部材と可動に連結され、前記部材を第１ポジション及び第２ポジションにそれぞれ位置決めするように、前記第１及び前記第２の戻り止めと選択的に係合されたピンと、を備える、
請求項１０に記載の収納可能エクササイズベンチ。
【請求項１２】
前記ピンが、前記部材を第１ポジション及び第２ポジションにそれぞれ位置決めするように前記第１及び前記第２の戻り止め内に選択的に位置決めされている、
請求項１１に記載の収納可能エクササイズベンチ。
【請求項１３】
前記ピンは、前記ピンを付勢して第１及び第２の戻り止めと係合させるようにバネ作動されている、
請求項１１または請求項１２に記載の収納可能エクササイズベンチ。
【請求項１４】
前記ピンを第１及び第２戻り止めから選択的に外すように作動可能なアクチュエータを備える、
請求項１１ないし１３のいずれか１項に記載の収納可能エクササイズベンチ。
【請求項１５】
前記アクチュエータが、前記部材と関連するレバーまたはプッシュプレートである、
請求項１４に記載の収納可能エクササイズベンチ。
【請求項１６】
エクササイズベンチであって、
第１の床支持体及び第２の床支持体に連結された少なくとも１つのビームを有するフレームと、
ホイールと、
前記ホイールを少なくともの部分的に覆うように前記ホイールと作動可能に関連しているホイールハウジングであって、前記少なくとも１つのビームが支持面に対してほぼ垂直に伸びている直立収納ポジションでエクササイズベンチを支持するように配置されているホイールハウジングと、を備える、
ことを特徴とするエクササイズベンチ。
【請求項１７】
前記ホイールハウジングは、前記エクササイズベンチが前記少なくとも１つのビームが前記支持面に対してほぼ水平に延びている作動ポジションにあるとき、前記支持面に係合しないように構成されている、
請求項１６に記載のエクササイズベンチ。
【請求項１８】
前記ホイールハウジングは、前記エクササイズベンチが前記ホイールを介して、前記支持面に沿って再度位置決めされることが可能なように、前記エクササイズベンチの第１傾斜角度領域内で前記支持面に係合しないように構成されている、
請求項１６または請求項１７に記載のエクササイズベンチ。
【請求項１９】
前記ホイールハウジングは、前記エクササイズベンチが前記支持面に沿って動かされるのを制限するように、前記第１傾斜角度領域と前記エクササイズベンチの直立収納ポジションの間の角度で前記支持面に係合するように構成されている、
請求項１８に記載のエクササイズベンチ。
【請求項２０】
前記第１傾斜角度領域が２５度までの角度を含む、
請求項１８または請求項１９に記載のエクササイズベンチ。
【請求項２１】
前記第１傾斜角度領域が０度と２５度の間である、
請求項２０に記載のエクササイズベンチ。
【請求項２２】
収納可能エクササイズベンチであって、
バックレストと、
シートと、
前記バックレストを支持するための第１ビーム部分と前記シートを支持するための第２ビーム部分を有するフレームと、を備え、
前記第１及び前記第２ビーム部分の各々が、支持面上で前記エクササイズベンチを支持するように、そこへ連結された床支持体を含み、前記シート近傍の前記床支持体が前記エクササイズベンチを直立収納ポジションで支持するように配置されており、
さらに、前記フレームと揺動可能に連結され、第１ポジションと第２ポジションの間を前記フレームに対して選択的に移動可能な部材を備え、前記部材は、前記第２ポジションにおいて、前記エクササイズベンチを直立収納ポジションで支持するように、前記シート近傍の前記床支持体と組み合わさってベースを形成している、  ことを特徴とする収納式エクササイズベンチ。
【請求項２３】
前記部材は、前記シート近傍で前記床支持体と組み合わさって三角状ベースを形成している、
請求項２２に記載の収納可能エクササイズベンチ。
【請求項２４】
各床支持体は、Ｕ字形状である、
請求項２２又は２３に記載の収納可能エクササイズベンチ。
【請求項２５】
前記バックレストに揺動可能に連結され、複数のポジションで前記バックレストを支持するように前記第１のビーム部分と係合されている支柱を更に備えている、
請求項２２ないし請求項２４のいずれか１項に記載の収納可能エクササイズベンチ。
【請求項２６】
前記支柱が前記第１のビーム部分に摺動可能に連結されている、
請求項２５に記載の収納可能エクササイズベンチ。
【請求項２７】
さらに、前記シートに隣接して前記床支持体に連結された支持パッドと、前記部材に連結された他の支持パッドとを備え、
前記第１のビーム部分及び前記第２のビーム部分は、前記シートに隣接して前記床支持体に連結された各支持パッドと、前記部材に連結された支持パッドとの間に位置している、
請求項２２に記載の収納可能エクササイズベンチ。
【発明の詳細な説明】
【技術分野】
【０００１】
〔関連出願への相互参照〕
本願は、引用により、その出願全体が本願に組み込まれる２０１７年６月２６日出願の「収納可能エクササイズベンチ」という発明の名称の米国仮特許出願第６２／５２４、７４９号の優先権を主張するものである。
【０００２】
本明細書は、概略的には身体運動及びパーソナルトレーニングに、より詳細には、収納可能エクササイズベンチに関する。
【背景技術】
【０００３】
フィットネストレーニング運動を実行する種々の装置及びシステムが存在している。例として、筋力トレーニングまたはフィットネスプログラムの一部として多様なエクササイズやワークアウトを行うためのプラットフォームまたは支持面をユーザーへ提供するためのエクササイズベンチが存在している。しかしながら、これらのエクササイズベンチは、大きくて扱いにくく、調節が難しく、且つ、使用しないときの収納が困難である。
【発明の概要】
【発明が解決しようとする課題】
【０００４】
そのため、上述の課題の少なくとも一部に対処し、及び／または、既存の設備の改良または代替物をより広く提供する、改良されたエクササイズベンチを提供することが望まれている。
【課題を解決するための手段】
【０００５】
本明細書は概略的に収納可能エクササイズベンチを提供する。エクササイズベンチは、ユーザーの嗜好に応じて展開、あるいは折りたたむことができる。例えば、エクササイズベンチは、ユーザーが種々の運動を行うことができるような、作動即ち使用ポジションをとることができるように構成されている。エクササイズベンチは、エクササイズベンチの設置面積を作成／縮小し、エクササイズベンチを比較的小さいスペースで収納できる収納ポジションをとることができるように構成されている。いくつかの実施形態では、エクササイズベンチの一部分は、収納ポジションでエクササイズベンチを収納するだけでなく、種々のエクササイズもサポートする。例えば、エクササイズベンチは、第１と第２のポジションの間を移動可能な部材を有している。第１ポジションでは、この部材は、例えば、ユーザーの下半身を支持する足首パットを有することによってユーザーが種々のエクササイズを行うことができるように、位置決めされる。第２ポジションでは、この部材は、直立ポジションのような収納ポジションでエクササイズベンチを支持する。例えば、その第２ポジションでは、この部材は、エクササイズベンチのフレームと組み合わさってベースを形成し、エクササイズベンチを直立ポジションで支持する。
【０００６】
本明細書の実施形態は、収納可能ベンチを有している。エクササイズベンチは、第１及び第２の床支持体と作動的に連結された少なくとも１つのビームを有するフレームと、少なくとも１つのビームと作動的に連結された部材と、を有している。エクササイズベンチは、第１と第２の床支持体が、少なくとも１つのビームと部材を支持する作動ポジションに位置決めされ、少なくとも１つのビームが支持面に対してほぼ水平に延びる。エクササイズベンチは、第２の床支持体と部材が、少なくとも１つのビームと第１の支持体を支持する収納ポジションに位置決めされ、少なくとも１つのビームが支持面に対してほぼ垂直に延びる。
【０００７】
本明細書の実施形態は、収納可能ベンチを有している。エクササイズベンチは、第１及び第２の床支持体に作動的に連結された少なくとも１つのビームを有するフレームと、ホイールと、ホイールに関連しホイールを少なくとも部分的に覆うホイールハウジングと、を有している。ホイールハウジングは、少なくとも１つのビームが支持面に対してほぼ垂直に延びる直立ポジションで、エクササイズベンチを支持するように配置されている。
【０００８】
本明細書の実施形態は、収納可能ベンチを有している。エクササイズベンチは、ブラケットと、シートと、バックレストを支持する第１ビーム部分及びシートを支持する第２ビーム部分を有するフレームと、を有している。エクササイズベンチが直立収納ポジションにあるとき、第１ビーム部分と第２ビーム部分の幾何学的配置は、第１と第２のビーム部分がエクササイズベンチの支持点の内部に配置されるようになっている。
【０００９】
更なる実施形態及び特徴は、次の説明の各部分で述べられ、明細書及び図面の考察の下で当業者にとって明確になり、あるいは開示された内容の実施によって取得される。特徴の更なる理解及び本明細書の利点は、本明細書の一部を構成する明細書の残りの部分及び図面を参照することで理解される。
【００１０】
本明細書の種々の形態と特徴が、場合によっては、別々に、あるいは他の場合は、明細書の他の形態と特徴と組み合わさって、有利に使用されることを当業者は理解している。それに応じて、本開示が実施形態によって表されたときは、あらゆる実施形態の個別の形態が別々に、あるいは、あらゆる他の実施形態の形態や特徴と組み合わさって特許請求の範囲に記載されることを受け入れなければならない。特定の実施形態の本開示は、単なる特徴の例示に過ぎず、特許請求の範囲に記載された発明またはその用途、あるいは使用を制限することを意図していない。他の実施形態が利用される、あるいは、構成及び／または論理の変更は、本開示の思想と概念から離れることなく行うことができる。
【００１１】
本開示は、本出願において、詳述の種々のレベルが述べられており、特許請求の範囲の記載に関する模倣が、本概要の要素、成分などの含有されるもの、または含有されないもののいずれかによって意図されることはない。場合によっては、本開示の理解に必ずしも必要でない、あるいは、他の詳述を難しいと認めさせる詳述は、省略することができる。更に、明確性を目的として、特定の特徴が当業者にとって明らかであるときは、本開示の説明をわかりにくくしないため、これらは説明されない。発明特定事項は、必ずしも本開示で図示される特定の実施形態または配置に限定される必要はなく、本開示の範囲は、添付の請求項によってのみ規定されることが理解されるべきである。
【００１２】
本明細書で説明されるエクササイズマシンの種々の実施形態を表す、要素が縮尺で製図されていない次の図を参照することによって、本開示の内容がより詳細に理解されるが、図面はエクササイズマシンの概念の完全な説明として解釈されるべきでないことは理解されるだろう。
【図面の簡単な説明】
【００１３】
【図１】第１ポジションにあるエクササイズ装置のバックレストを備えた作動ポジションにあるエクササイズベンチの等測図である。
【図２】第２ポジションにあるバックレストを備えた図１のエクササイズベンチの等測図である。
【図３】第３ポジションにあるバックレストを備えた図１のエクササイズベンチの等測図である。
【図４】第２ポジションにあるバックレストを備えた作動ポジションにあるエクササイズベンチのシートの部分拡大断面図である。
【図５】第３ポジションにあるバックレストを備えた収納ポジションにある図４のシートの部分拡大等測図である。
【図６】収納ポジションにある図１のエクササイズベンチの等測図である。
【図７】図６の部分拡大等測図である。
【図８】エクササイズベンチの可動部材が第１と第２のポジション間を動くように作動可能な調節組立体の図７の８−８線に沿った、断面図である。
【図９】直立収納ポジションにあるエクササイズベンチの等測図である。
【図１０】エクササイズベンチのホイールハウジングの部分拡大側立面図である。
【図１１】ホイールハウジングの部分拡大等測図である。
【図１２】他のエクササイズベンチの等測図である。
【図１３】図１２のエクササイズベンチの部分拡大等測図である。
【図１４】図１２のエクササイズベンチの他の部分拡大等測図である。
【図１５】エクササイズベンチの可動部材が第１と第２のポジション間を動くように作動可能な、もう一つの調節組立体の図１４の１５−１５線に沿った断面図である。
【図１６】他のエクササイズベンチの等測図である。
【図１７】図１６のエクササイズベンチの部分拡大等測図である。
【図１８】図１６のエクササイズベンチのもう一つの部分拡大等測図である。
【図１９】エクササイズベンチのフレームに対する、所望の角度位置でバックレストを解放可能に固定するように作動可能なロック機構の図１８の１９−１９線に沿った断面図である。
【図２０】他のエクササイズベンチの等測図である。
【図２１】図２０のエクササイズベンチの部分拡大等測図である。
【図２２】図２０のエクササイズベンチの図２１の２２−２２線に沿った断面図である。
【図２３】変形例のハンドル構造の部分等測図である。
【図２４】変形例のハンドル構造の部分等測図である。
【図２５】変形例のハンドル構造の部分等測図である。
【図２６】変形例のハンドル構造の部分等測図である。
【図２７】作動ポジションにあるエクササイズベンチのデザイン図である。
【図２８】作動ポジションにあるエクササイズベンチのデザイン図である。
【図２９】作動ポジションにあるエクササイズベンチのデザイン図である。
【図３０】作動ポジションにあるエクササイズベンチのデザイン図である。
【図３１】作動ポジションにあるエクササイズベンチのデザイン図である。
【図３２】作動ポジションにあるエクササイズベンチのデザイン図である。
【図３３】作動ポジションにあるエクササイズベンチのデザイン図である。
【図３４】作動ポジションにあるエクササイズベンチのデザイン図である。
【図３５】収納ポジションにあるエクササイズベンチのデザイン図である。
【図３６】収納ポジションにあるエクササイズベンチのデザイン図である。
【図３７】収納ポジションにあるエクササイズベンチのデザイン図である。
【図３８】収納ポジションにあるエクササイズベンチのデザイン図である。
【図３９】収納ポジションにあるエクササイズベンチのデザイン図である。
【図４０】収納ポジションにあるエクササイズベンチのデザイン図である。
【図４１】収納ポジションにあるエクササイズベンチのデザイン図である。
【図４２】収納ポジションにあるエクササイズベンチのデザイン図である。
【発明を実施するための形態】
【００１４】
図１ないし図２２は、作動即ち使用構成（例えば、図１〜図５参照）と収納ポジション（例えば、図６と図９参照）との間を動かすことができる収納可能エクササイズベンチ１００の実施形態を表している。本明細書で説明されているように、作動即ち使用ポジションでは、エクササイズベンチ１００は、ユーザーがベンチ上で様々な筋力エクササイズ及び／またはフィットネスエクササイズ（例えば、ダンベルエクササイズ、バーベルエクササイズ、抵抗バンドエクササイズ、自重エクササイズなど）のような、多様なエクササイズを行うことを可能にしている。収納ポジションでは、直立ポジションのような比較的小さいスペースにエクササイズベンチ１００を収納することができるように、エクササイズベンチ１００の設置面積を作成及び／または縮小することができる。例えば、エクササイズベンチ１００の収納設置面積は、エクササイズベンチ１００が収納ポジションにあるときに作られる場合がある。収納設置面積は、エクササイズベンチ１００が作動ポジションにあるときの設置面積より小さい。これは、エクササイズベンチ１００が小さいスペース（例えば、クローゼットの中、混雑したエクササイズルームの小さいスペース、など）で安全に収納できるように、エクササイズベンチ１００の手軽な収納を容易にしている。一例では、エクササイズベンチ１００は、鉛直に配向されたポジションで収納されるように直立状態に配向される。
【００１５】
後述のように、エクササイズベンチ１００の一部分は、エクササイズベンチ１００を作動及び収納ポジションに位置決めるように複数のポジション間で動くことができる。一実施形態では、エクササイズベンチ１００の可動部分は、エクササイズベンチ１００が収納ポジションにあるときのエクササイズベンチ１００の収納のみならず、エクササイズベンチ１００が作動ポジションにある間中の多様なエクササイズの実行の両方をサポートする。例えば、下記でより詳述するように、少なくとも１つのエクササイズの実行を容易にするエクササイズベンチ１００の一部分は、エクササイズベンチ１００が直立ポジションで収納されることが可能なポジションに選択的に動かされる。
【００１６】
エクササイズベンチ１００の実施形態は、フレーム１０２と、フレーム１０２に作動的に連結された可動部材１０４とを有している。バー、脚支持体または足首パッド支持体などと関連している部材１０４は、枢動軸１１０を中心に揺動可能にフレーム１０２に連結されているように、フレーム１０２に可動に連結されている。いくつかの実施形態では、部材１０４は足首パッド１１２と作動的に連結されている。例えば、部材１０４は、後述するように、多様な筋力及び／またはフィットネスエクササイズの実行を促進させるポジションで、足首パッド１１２を支持している。
【００１７】
本明細書で説明されているように、部材１０４は、第１ポジションと第２ポジションの間をフレーム１０２に対し選択的に動かすことができる（図１と図６のそれぞれ参照）。第１ポジションでは、部材１０４は、ユーザーが多様なエクササイズを実行できるように第１構成状態のフレーム１０２から伸びている。例えば、第１ポジションでは、部材１０４は、運動中にユーザーの下半身（例えば、ユーザーの足首、ふくらはぎ、及び／または向う脛領域）に係合するユーザーを支持するように位置決めされている。例えば、部材１０４が第１ポジションに位置決めされたときには、ユーザーが多様なエクササイズを実行するための安定したベースが提供されるように、足首パット１１２がユーザーの足首、ふくらはぎ、及び／または向う脛領域に係合するように位置決めされる。第２ポジションでは、部材１０４は、エクササイズベンチ１００の収納を可能にするように第２構成状態のフレーム１０２から伸びている。例えば、第２ポジションでは、部材１０４は、フレーム１０２（図６参照）と組み合わせてベース１２０を形成するように位置決めされ、後述するように直立ポジションのような収納ポジションでエクササイズベンチ１００を支持する。本明細書で説明されるように、部材１０４は枢動軸１１０を中心に回転し、第１と第２のポジションの間を動く。
【００１８】
エクササイズベンチ１００はバックレスト１３０とシート１３２とを有している。バックレスト１３０とシート１３２の各々はフレーム１０２により支持されている。例えば、エクササイズベンチ１００は、可動（例えば揺動可能）に、バックレスト１３０に連結され、フレーム１０２と係合し（または係合可能な）、バックレスト１３０を、複数の段階的なポジションまたは無段階のポジションのような複数のポジションで支持する支柱１０４を有している。例えば、支柱１４０は、（バックレスト１３０の後方中央部分に隣接するように）バックレスト１３０に揺動可能に連結され、フレーム１０２に摺動可能に連結されている。このような実施形態では、フレーム１０２の一部分に沿った支柱１４０の摺動運動は、バックレスト１３０を複数のポジション間で移動させる。同様に、後述のように、エクササイズベンチ１００は、シート１３２に可動（例えば揺動可能）に連結され、シート１３２を複数のポジション（複数の段階的なポジションまたは無段階のポジションのどちらか）で支持するようにフレーム１０２に係合した（または係合可能な）シートポスト１４２を有している。
【００１９】
一実施形態では、バックレスト１３０とシート１３２の各々は、フレーム１０２に対するバックレスト１３０とシート１３２の各々の角運動を可能にさせるようにフレーム１０２に揺動可能に連結されている。例えば、後述するように、バックレスト１３０とシート１３２の各々は、（フレーム１０２から伸びるブラケット１５０によって）フレーム１０２上に規定される共通枢動軸１４４（例えば図９参照）を中心に、フレーム１０２に対するバックレスト１３０とシート１３２の各々の角度位置に希望に応じて回転する。例えば、バックレスト１３０は、所望の運動特性または基礎を提供するため、傾斜面（図１参照）、平坦面（図５参照）、または傾斜面（図６参照）を提供するように共通枢動軸１４４を中心に回転する。シート１３２は、同様に、共通枢動軸１４４を中心に希望に応じて揺動する。一実施形態では、シート１３２が、共通枢動軸１４４を中心に回転し、エクササイズベンチ１００を作動ポジション及び収納ポジションに位置決めすることを可能にする。例えば、シート１３２は第１ポジションと第２ポジションの間を移動可能である（図４及び図５参照）。第１ポジションでは、シート１３２は、部材１０４が第２ポジションへと動くのを抑制する。例えば、シート１３２の第１ポジションでは、第２ポジションに向かう部材１０４の動きは、部材１０４が第２ポジションに位置決めされる前に、部材１０４の足首パッド１１２をシート１３２へ係合させる。シート１３２の第２ポジションでは、部材１０４は、第２ポジションに自由に動く。例えば、第２ポジションでは、足首パッド１１２の動きが部材１０４を第２ポジションへと位置決めできるように、シート１３２が位置決めされている。同様に、複数のポジション間の部材１０４の動きは、シート１３２の調和した動きを必要とする。
【００２０】
一実施形態では、フレーム１０２はエクササイズベンチ１００に構造的な支持を提供する少なくとも１つのビーム１５８を有している。特定の用途に応じて、ビームは、溶接及び／またはモノリス型ビームによって接合された２つまたは３つ以上の個別のビームセグメントとして形成された第１及び第２ビーム部分１６０、１６２を有している。このような実施形態では、第１ビーム部分１６０が、バックレスト１３０を支持する。第２ビーム部分１６２が、シート１３２を支持する。図示のように、支柱１４０は、所望のポジションでバックレスト１３０を支持するように、第１ビーム部分１６０と係合している（または係合可能である）。同様に、シートポスト１４２は、シート１３２を所望の位置、本明細書で説明した第１ポジションと第２ポジションを含むが、それらに限定されない位置で支持するように、第２ビーム部分１６２と係合している（または係合可能である）。以下により詳細に述べるように、支柱１４０は第１ビーム部分１６０に対するバックレスト１３０のポジションを変えるために移動可能（例えば摺動可能）に第１ビーム部分１６０に連結されている。同様に、シートポスト１４２は、第２ビーム部分１６２に対するシート１３２のポジションを変えるために移動可能に第２ビーム部分１６２に連結されている。
【００２１】
ビーム１５８は、作動ポジションと収納ポジションとでエクササイズベンチ１００を支持するように、寸法決めされ、形作られ、及び／または位置決めされている。一実施形態では、エクササイズベンチ１００が作動ポジションに位置決められたときにビーム１５８が支持面に対してほぼ水平に延びる即ち伸びている。同様に、エクササイズベンチ１００が収納ポジションに位置決められたときは、ビーム１５８が支持面に対してほぼ垂直に延びる即ち伸びている。本明細書で説明するように、「ほぼ水平」と「ほぼ垂直」という用語は、ビーム１５８が鉛直要素と水平要素の両方を有する実施形態のように、ビーム１５８が支持面に対して完全に水平または垂直でない実施形態を包含している。例えば、少なくとも図１に示すように、エクササイズベンチ１００が作動ポジションに位置決めされているときは、ビーム１５８は水平要素と鉛直要素の両方を有しているが、ビーム１５８は水平方向に支配的に延びている。同様に、少なくとも図９に示すように、エクササイズベンチ１００が収納ポジションに位置決められているとき、ビーム１５８は鉛直要素と水平要素の両方を有しているが、ビーム１５８は垂直方向に支配的に延びている。
【００２２】
第１と第２のビーム部分１６０、１６２は多数の異なる形態を有していてもよい。例えば、そして制限なしに、第１と第２のビーム部分１６０、１６２は、近位端と遠位端１６４、１６６各々を有する細長い部材でもよい。第１と第２のビーム部分１６０、１６２の近位端１６４は、モノリス状に一緒に形成されているように一緒に連結されている。一実施形態では、第１と第２のビーム部分１６０、１６２は、それらの間にわずかな曲げ部を設けて位置決めされている。例えば、第１、第２ビーム部分１６０、１６２は一緒に、支持面から離れるように凸状に湾曲された弧状形状を形成してもよい。このような実施形態では、共通枢動軸１４４は、第１と第２のビーム部分１６０、１６２の近位端１６４の近接のような、湾曲した形状の頂点の隣接（例えば上部）に位置決められる。本明細書で説明した各実施形態では、第１と第２のビーム部分１６０、１６２は、作動ポジションと収納ポジションとの間のエクササイズベンチ１００の動きを可能にするように寸法決めされ、形作られている。例えば、第１ビーム部分１６０は、バックレスト１３０が上述した複数のポジションに位置決めされるのを可能にするように寸法決めされ、形作られている。同様に、第２ビーム部分１６２は、シート１３２が、少なくとも第１と第２のポジションに位置決めされるように寸法決めされ、形作られている。
【００２３】
特定の用途に応じて、フレーム１０２は、少なくとも作動ポジションでエクササイズベンチ１００を支持する床支持体の２つまたは３つ以上を有している。このような実施形態では、ビーム１５８は床支持体に作動的に連結されている。一実施形態では、フレーム１０２は、第１ビーム部分１６０（例えば、第１ビーム部分１６０の遠位端１６６に）に連結された第１の床支持体１８０と、第２ビーム部分１６２（例えば、第２ビーム部分１６２の遠位端１６６）に連結された第２の床支持体１８２とを有している。このような実施形態では、第１と第２の床支持体１８０、１８２は、エクササイズベンチ１００の前方（または頭部）、後方（または基部）をそれぞれ支持している。一実施形態では、後述するように、床支持体１８０、１８２（例えば、第２の床支持体１８２）の一方が、部材１０４と組み合わせて直立収納ポジションでエクササイズベンチ１００を支持するように配置されている。図示のように、第１と第２の床支持体１８０、１８２の各々は、一対の末端１８４を有している。このような実施形態では、第１と第２の床支持体１８０、１８２の末端１８４は、作動ポジション及び／または収納ポジションにあるエクササイズベンチ１００を支持するように支持面に係合している。第２の床支持体１８２の末端１８４は、エクササイズベンチ１００が、動作ポジション（図１参照）と収納ポジション（図９参照）の両方に位置決めされているときに支持面と係合する。
【００２４】
各床支持体はエクササイズベンチ１００を横方向に支持するのに十分な幅を有し、両側方へのエクササイズベンチ１００の転倒を抑制または制限している。加えて、第１と第２の床支持体１８０、１８２は、エクササイズベンチ１００の前方または後方への転倒を抑制あるいは制限するように、エクササイズベンチ１００の長さに沿って間隔をおいている。図示のように、各床支持体は望ましい美的または機能的特性を提供するように寸法決めされ、形作られている（例えば、Ｕ字形状、Ｔ字形状）。例えば、第２の床支持体１８２は、快適な着座ポジションを提供するように、支持面から離れてシート１３２（及びバックレスト１３０）と間隔をおくように形作られている。後述のように、第２の床支持体１８２の形状は、直立収納ポジションにあるエクササイズベンチ１００を支えるように、可動部材１０４と組み合わさって安定したベースも提供している。例えば、部材１０４が第２ポジションに移動させられると、エクササイズマシンは、支持面に対向する第２の床支持体１８２（例えば、第２の床支持体１８２の末端１８４）及び部材１０４（図９参照）が係合するように一方に傾く。一実施形態では、部材１０４は、第２の床支持体１８２の末端１８４と組み合わさって三角状ベース１２０または三脚状支持構造（図６参照）を形成している。本明細書で説明するように、第２の床支持体１８２の一部分及び支持面と接触している部材１０４は、その間で領域１８６を形成している（図６参照）。特定の用途に応じて、領域１８６は三角形、四角形、または多角形の形状である。
【００２５】
いくつかの実施形態では、１つまたは２つ以上の支持パッドが、支持面との係合のために、床支持体１８０、１８２及び／または部材１０４に連結されている。例えば、第１と第２の床支持体１８０、１８２は、エクササイズベンチ１００が作動ポジションにあるときに支持面に係合するように位置決めされている２つまたは３つ以上の第１支持パッド１９０を有している。第２支持パッド１９２は、部材１０４が第２ポジションにあり、エクササイズベンチ１００が一方に傾いているとき、支持面に係合するように部材１０４（例えば部材１０４の底）と連結されている。このような実施形態では、領域１８６は、第２の床支持体１８２及び支持面と接触している部材１０４の構成の間に形成される。支持パッド１９０、１９２の各々はゴム製バンパーまたは類似したタイプの支持体である。いくつかの実施形態では、支持パッド１９０、１９２は、平らでないまたは凸凹した支持面でエクササイズベンチ１００を支持するために調節可能となっている。
【００２６】
一実施形態では、エクササイズベンチ１００の大きさと形状は、収納ポジションで直立に位置決めされるように、ベンチが収納用に位置決められたときのエクササイズベンチ１００の転倒を制限している。例えば、フレーム１０２の幾何学的配置（例えば、第１と第２のビーム部分１６０、１６２の幾何学的配置）は、エクササイズベンチ１００の一方の側が傾き直立収納ポジションに位置決めされたときに、エクササイズベンチ１００の重心が領域１８６の横方向領域内に位置決めされるように規定する。一例として、第１と第２のビーム部分１６０、１６２は、エクササイズベンチ１００が直立収納ポジションに位置決めされたときには、エクササイズベンチ１００の支持点の内部に配置されている。このような構成は、エクササイズベンチ１００が直立収納ポジションから倒れることによって引き起こされる潜在的なけがや所有物のダメージを制限するように、エクササイズベンチ１００の望まれない転倒を制限している。
【００２７】
エクササイズベンチ１００は、部材１０４を第１と第２のポジションに選択的に位置決めするように作動可能である調節組立体２００を有している。一例として、調節組立体２００は、フレーム１０２と部材１０４の間に対応する係合特徴部を有している。例えば、調節組立体２００はフレーム１０２と作動的に関連した第１と第２の戻り止め２０２、２０４を有している。一実施形態では、第１と第２の戻り止め２０２、２０４は第２ビーム部分１６２に連結されたブラケット２０６上に形成されている。このような実施形態では、部材１０４は、例えば枢動軸１１０で、ブラケット２０６に揺動可能に連結されている。特定の用途に応じて、少なくとも部分的にブラケット２０６は、シート１３２と第２ビーム部分１６２の間に位置決めされる。いくつかの実施形態では、調節組立体２００は、少なくとも部分的に部材１０４内で伸びる。
【００２８】
図７と図８に最も良くに示すように、第１と第２の戻り止め２０２、２０４は、ビーム１５８（例えば、ブラケット２０６）内で形成されるトラック２１０の一部分として形成される。トラック２１０は、第１と第２の戻り止め２０２、２０４の間に形成される移行部分２１２を有する。このような実施形態では、部材１０４の一部分はトラック２１０内で伸び、後述のように、フレーム１０２に対する部材１０４の動きを規定している。例えば、部材１０４の一部分はトラック２１０内で伸び、第１戻り止め２０２から移行部分２１２を沿って第２戻り止め２０４の中に横方向に伸び、部材１０４を第１ポジションから第２ポジションへ動かす。同様に、部材１０４の一部分はトラック２１０内で伸び、第２戻り止め２０４から移行部分２１２に沿って第１戻り止め２０２の中に横方向に伸び、部材１０４を第２ポジションから第１ポジションへ動かす。図示のように、移行部分２１２は、枢動軸１１０を中心とした部材１０４の回転を可能にするように第１と第２の戻り止め２０２、２０４の間に弧状に形成される。第１と第２の戻り止め２０２、２０４は、それぞれ、部材１０４の第１と第２のポジションのための強固な止め具を形成するように、移行部分２１２から角度をなして伸びている。
【００２９】
引き続き図７と図８を参照すると、調節組立体２００は、部材１０４に可動に連結され、部材１０４を第１と第２のポジションにそれぞれ位置決めるように、第１と第２の戻り止め２０２、２０４内に選択的に位置決めされるピン２２０を有している。例えば、ピン２２０は、部材１０４の長さに沿って部材１０４の第１と第２の対向端２２２、２２４の間のように、動くように部材１０４と摺動可能に連結されている。このような実施形態では、部材１０４の第１端２２２は、フレーム１０２（例えば、枢動軸１１０のブラケット２０６）に揺動可能に連結されている。足首パッド１１２は、部材１０４の第２端２２４と作動的に連結されている。ピン２２０は、枢動軸１１０と部材１０４の末端（例えば、第１端２２２）の間で動くことができるように部材１０４に連結されている。
【００３０】
本明細書で説明したように、ピン２２０は、部材１０４がフレーム１０２に対して動くと、トラック２１０に沿って動く。例えば、部材１０４が枢動軸１１０を中心に回転すると、ピン２２０は、移行部分２１２に沿って第１と第２の戻り止め２０２、２０４の間で動く。ピン２２０が第１戻り止め２０２または第２戻り止め２０４のどちらかの近傍に位置決めされると、ピン２２０は部材１０４の長さに沿って、戻り止め内へ動く。例えば、第１戻り止め２０２の近傍に位置決めされると、ピン２２０は、枢動軸１１０に向かって部材１０４の長さに沿って動き、第１戻り止め２０２内に動く。同様に、第２戻り止め２０４の近傍に位置決めされると、ピン２２０は、枢動軸１１０に向かって部材１０４の長さに沿って動き、第２戻り止め２０４内に動く。部材１０４が複数のポジション間を移行するには、ピン２２０はそれぞれの戻り止めから外に動かされ、トラック２１０の移行部分２１２内へ動く。例えば、第１ポジションから部材１０４を移行するには、ピン２２０が、部材１０４の長さに沿って動かされ、枢動軸１１０から離れてピン２２０を第１戻り止め２０２から外すように、ピン２２０をトラック２１０の移行部分２１２内に位置決めする。同様に、第２ポジションから部材１０４を移行するには、ピン２２０が、部材１０４の長さに沿って動かされ、枢動軸１１０から離れてピン２２０を第２戻り止め２０４から外すように、ピン２２０をトラック２１０の移行部分２１２内に位置決めする。ピン２２０がトラック２１０の移行部分２１２内に位置決めされると、部材１０４は、枢動軸１１０を中心として自由に回転し、部材１０４を第１と第２のポジション間で動かす。上述した例は、図示を目的としただけであり、他の構成の可能性を容認している。例えば、第１と第２の戻り止め２０２、２０４は、ピン２２０が枢動軸１１０に向けて動かされ、ピン２２０を戻り止めから外すように配置されてもよい（図１２〜図１５参照）。
【００３１】
いくつかの実施形態では、ピン２２０は、ピン２２０を第１戻り止め２０２内、第２戻り止め２０４内、または第１と第２の戻り止め２０２、２０４の両方へ付勢するようにバネ作動されてもよい。例えば、図８と図１５に示すように、調節組立体２００は、ピン２２０を枢動軸１１０に向けて、または枢動軸１１０から離して傾けるようにピン２２０と連結されたばね２３０を有している。例えば、ばね２３０は、ピン２２０が第１戻り止め２０２または第２戻り止め２０４の近傍に位置決めされたときに、ばね２３０がピン２２０を付勢して戻り止めに係合（例えば自動的に係合）させるように、配置されている。同様に、部材１０４が、枢動軸１１０を中心に第１ポジションまたは第２ポジションのどちらかに向けて回転したとき、ピン２２０は、ばね２３０の付勢で、第１戻り止め２０２または第２戻り止め２０４内にそれぞれ自動的に着座される。これは、第１と第２のポジションへの部材１０４の有効な係止も提供する。このような実施形態では、第１と第２の戻り止め２０２、２０４からのピン２２０の解放が有効な場合のみ、部材１０４はフレーム１０２に対して動かされる。
【００３２】
いくつかの実施形態では、調節組立体２００は、第１と第２の戻り止め２０２、２０４からピン２２０を解放するように作動可能なアクチュエータ２３２を有している。例えば、アクチュエータ２３２は、図８と図１５に示すように、ロッド２３４を介してばね２３０の付勢に抗してピン２２０を選択的に動かすように、ピン２２０に連結されている。特定の用途に応じて、アクチュエータ２３２は、プッシュプレート機構（図８参照）またはレバー式機構（図１５参照）となる。プッシュプレート機構の実施形態のときは、アクチュエータ２３２は、部材１０４の第２端２２４に（例えば、足首パッド１１２に隣接して）、位置決めされる。レバー式機構の実施形態のときは、アクチュエータ２３２は、第２支持パッド１９２の後ろに隠れるまたは第２支持パッド１９２内のように、第２支持パッド１９２に隣接して位置決めされる（図１４及び図１５参照）。上述の例は限定的なものではなく、調節組立体２００の他の部品のみならずアクチュエータ２３２が、他の適切な構成を含んでいてもよい。
【００３３】
部材１０４と同様に、シート１３２は、第１と第２のポジションに選択的に位置決めされる。限定的でない一例として、第２ビーム部分１６２に連結されたブラケット２０６内のように、ビーム１５８内に形成されたシートトラック２５０内に、シートポスト１４２が少なくとも部分的に受けられる。例えば、シートポスト１４２は、シートトラック２５０内に少なくとも部分的に受けられたピン２５２を有している。このような実施形態では、シートトラック２５０は、シートトラック２５０内でのシートポスト１４２（例えば、ピン２５２）の動きが、シート１３２を第１と第２のポジションの間で動かすように形作られている。調節組立体２００と同様に、シートトラック２５０は、シート１３２を第１と第２のポジションで積極的に係合させるように形作られている。例えば、図７に最も良く示すように、シートトラック２５０は、シート１３２の第１と第２のポジションをそれぞれ規定する第１トラック部分２５４及び第２トラック部分２５６を含む逆Ｖ字形状または逆Ｕ時形状部分を含んでいる。図示のように、第１と第２のトラック部分２５４、２５６は、支持面に向けて少なくとも部分的に下方に伸びている。このような実施形態では、ピン２５２が、第１トラック部分２５４または第２トラック部分２５６のいずれかの中に位置決めされたとき、少なくともシート１３２の重さが、ピン２５２を１つのトラック部分に確実にかかり、他のトラック部分へのピン２５２の動きを制限する。
【００３４】
本明細書で説明するように、部材１０４が第２ポジションへ位置決めを容易にする状態でシート１３２を位置決めるように、シート１３２及び／またはシートトラック２５０は、寸法決めされ、形作られている。例えば、シートトラック２５０は、シート１３２の第２ポジションへの位置決めが、部材１０４の足首パッド１１２をシート１３２によって動かすことが可能なように形作られている。例えば、シートトラック２５０は、シート１３２が第２ポジションにあり、部材１０４が第２ポジションにあるときに、シート１３２がフレーム１０２と足首パッド１１２との間に位置決めされるように形作られている。いくつかの実施形態では、シート１３２は、（少なくとも部材１０４が第２ポジションにあるとき）部材１０４を少なくとも部分的に受けるように寸法決めされ、形作られたカットアウト２６０を有している。
【００３５】
シート１３２及び部材１０４と同様に、バックレスト１３０は、希望に応じて選択的に位置決められる。例えば、エクササイズベンチ１００は、バックレスト１３０を所望の角度位置に維持即ち効率的に係止するように作動可能であるロック機構２７０を有している。一実施形態では、ロック機構２７０は解放可能なラッチ構造２７２を有している。ラッチ構造２７２は、複数のキャッチ２７４と固定機構２７６を有している。固定機構２７６は、フレーム１０２に対するバックレスト１３０の段階的なポジションを規定するキャッチ２７４と解放可能に係合するように、キャッチ２７４に選択的に固定することができる。例えば、特定のキャッチ２７４との固定機構２７６の係合は、バックレスト１３０の最上位ポジション（図１参照）と、バックレスト１３０の中間ポジション（図２〜図５参照）と、バックレスト１３０の最下位ポジション（図６参照）などを規定する。
【００３６】
キャッチ２７４と固定機構２７６は、多くの適切な構成を呈する。例えば、一例として、固定機構２７６は、第１ビーム部分１６０内に形成された対応する開口穴２８２（図１〜図６参照）に解放可能に係合するように作動可能であるポップピン構造２８０を有している。他の例として、固定機構２７６は、第１ビーム部分１６０に形成されたくぼみ２９２（図２０〜図２２参照）内に開放可能に固定されるロッドまたはバー２９０を有している。このような実施形態では、ロッドまたはバー２９０は、第１ビーム部分１６０内に形成されている通路２９４内のように、第１ビーム部分１６０に摺動可能に連結されている。このような実施形態では、くぼみ２９２は通路２９４の長さに沿って形成されている。手動または、第１ビーム部分１６０内に摺動可能に受けられたランプ構造２９６を介して、ロッドまたはバー２９０をくぼみ２９２から持ち上げることにより、ロッドまたはバー２９０は、くぼみ２９２から外される（図２２参照）。例えば、レバー２９８の動作は、第１ビーム部分１６０内のランプ構造２９６を動かし、ロッドまたはバー２９０と係合し、次いでこれらをくぼみ２９２から持ち上げる。ロッドまたはバー２９０がくぼみ２９２から外されると、ロッドまたはバー２９０は、通路２９４内を自由に摺動し、バックレスト１３０をフレーム１０２に対して上昇または降下させる。
【００３７】
ロック機構２７０は他の適切な構成を呈する場合がある。例えば、図１８と図１９に示すように、ロック機構２７０は、バックレスト１３０に対する支柱１４０の回転を制限するように作動可能であるラチェット装置３１０を有している。一例では、ラチェット装置３１０は、ラチェットホイール３１２と、ロックバー３１２と、解放組立体３１６とを有している（図１９参照）。ポスト１４０に固定的に連結されたラチェットホイール３１２は、バックレスト１３０の段階的ポジションを形成するためのラチェット歯３２０の複数を有している。例えば、ロックバー３１４は、所望のラチェット歯３２０の１つに解放可能に係合し、バックレスト１３０に対する支柱１４０の角度位置即ち、フレーム１０２に対するバックレスト１３０の角度位置を規定する。図１９に示すように、ラチェット歯３２０は指向性があり、ラチェットホイール３１２はロックバー３１４に対して一回転方向（例えば、図１９では反時計回り）に回転するが、反対の回転方向（例えば図１９では、時計回り）に回転することは制限されている。同様に、支柱１４０は、ユーザーがバックレスト１３０を直立ポジションに操作できるように、バックレスト１３０に対して一方向に回転することを可能にされている。しかしながら、ラチェット歯３２０の指向的性質は、ユーザーがエクササイズを行うための安定したベースを提供できるように、バックレスト１３０に対する支柱１４０の反対方向の回転を制限または抑制している。例えば、バックレスト１３０を直立ポジションから下げるためには、最初にロックバー３１４をラチェット歯３２０から外さなければならない。
【００３８】
解放組立体３１６は、ラチェットホイール３１２からロックバー３１４を選択的に解放するように動作することができる。例えば、解放組立体３１６は、レバーアーム３３２の選択的な回転が結合組立体３３０を動かすように、レバーアーム３３２に連結された結合組立体３３０（図１８参照）を有している。図１９に示すように、結合組立体３３０は、ラチェットホイール３１２からロックバー３１４を選択的に外すためのロックバー３１４に選択的に連結されている。例えば、レバーアーム３３２の一方向への回転は、ラチェットホイール３１２からロックバー３１４を外す第１方法で、結合組立体３３０を動かす。同様に、レバーアーム３３２の反対方向への回転は、ロックバー３１４をラチェットホイール３１２と係合する第２方法で、結合組立体３３０を動かす。いくつかの実施形態では、ロックバー３１４はラチェットホイール３１２に抗して付勢されている。例えば、解放組立体３１６は、ロックバー３１４をラチェットホイール３１２と係合するように付勢するように配置されたばね３３４を有している。このような実施形態では、ロック機構２７０を解放させるユーザーからの指向性のある力が作用しないときには、ばね３３４は、ロックバー３１４をラチェットホイール３１２とのロックされた係合状態に付勢している。
【００３９】
図１０と図１１を参照すると、エクササイズベンチ１００は、ホイール３５０と、ホイール３５０を少なくとも部分的に覆うようにホイール３５０と作動的に関連しているホイールハウジング３５２と、を有している。いくつかの実施形態では、エクササイズベンチ１００は、複数のホイール３５０（例えば、２つのホイール）と、対応する数のホイールハウジング３５２を有している。各ホイール３５０は、支持面上でフレーム１０２を回転可能に支持するように作動可能である。例えば、ホイール３５０は、第２床支持１８２（例えば、第２床支持１８２の末端１８４）に連結されている。このような実施形態では、ユーザーは、支持面と回転的に係合するようにエクササイズベンチ１００を傾けさせることができる。ホイール３５０が支持面に係合すると、エクササイズベンチ１００は再び位置決めされるか、または一方で、ホイール３５０を介して支持面に沿って動かされる。
【００４０】
ホイールハウジング３５２は、直立収納ポジションでエクササイズベンチ１００を支持するように配置されている。しかしながらホイール３５０を介して支持面に沿ってエクササイズベンチ１００を動かすことができるように、ホイールハウジング３５２は、エクササイズベンチ１００が作動ポジションにあるときには支持面に係合しないように構成されている。例えば、エクササイズベンチ１００がホイール３５０を介して支持面に沿って再度位置決めされることができるように、ホイールハウジング３５２は、エクササイズベンチ１００の第１傾斜角度領域３６０（図１０参照）内では支持面に係合しないように構成されている。このような実施形態では、ホイールハウジング３５２は、第１傾斜角度領域３６０とエクササイズベンチ１００の直立収納ポジションとの間の角度で支持面に係合し、その角度内で支持面に沿って動くことを制限するように構成されている。特定の用途に応じて、第１傾斜角度領域３６０は、約２５度までの角度を含む。一実施形態では、第１傾斜角度領域３６０は約０度から約２５度の間であり、したがって第１傾斜角度領域３６０は他の角度領域を包含している（例えば、約０度から約１５度の間、約０度から約２０度の間、約０度から約３０度の間、約５度から約２５度の間、約１０度から約２５度の間など）。このような実施形態では、エクササイズベンチ１００が第１傾斜角度領域３６０内で傾けられたとき、ユーザーは、ホイール３５０を介して、支持面を横切って、エクササイズベンチ１００を横切る。
【００４１】
第１傾斜角度領域３６０を超えてエクササイズベンチ１００を傾けることにより、支持面がホイールハウジング３５２を係合し、支持面に沿うエクササイズベンチ１００の更なる動き（例えば、収納のための動き）が制限される。いくつかの実施形態では、ホイールハウジング３５２は、支持パッド３６２を形成即ち含んでいる。このような実施形態では、エクササイズベンチ１００が直立収納ポジションにあるとき、ホイールハウジング３５２の支持パッド３６２は支持面に係合する。ホイールハウジング３５２の支持パッド３６２は、部材１０４の第２支持パッド１９２と組み合わさって領域１８６を形成する。
【００４２】
図２３ないし図２６を参照すると、エクササイズベンチ１００は利便性のための他の特性を有している。例えば、エクササイズベンチ１００は、ユーザーにバックレスト１３０及び／またはエクササイズベンチ１００の操作を可能にさせるように、バックレスト１３０に連結されたハンドル３７０を有している。例えば、ユーザーは、バックレスト１３０をそのポジション間で動かすための、ハンドル３７０を操作する。加えてあるいはその代わりに、ユーザーは、エクササイズベンチ１００を傾けるようにハンドル３７０を操作する。エクササイズベンチ１００が第１傾斜角度領域３６０内に傾けられたときには、ユーザーはハンドル３７０を操作し、エクササイズベンチ１００をホイール３５０を介して支持面に沿って動かすことができる。ハンドル３７０は、多数の適当な構成を含む。例えば、ハンドル３７０は、Ｕ字形状（図２５参照）またはＴ字形状（図２４参照）などである。いくつかの実施形態では、ハンドル３７０は平滑なグリップ部分３７２（図２４及び図２６参照）を有している。
【００４３】
エクササイズベンチ１００の操作の詳細を以下で説明する。ユーザーの嗜好と空間的制約に応じて、クローゼット内、部屋の角など、ユーザーが、エクササイズベンチ１００を収納することを望むことがある。エクササイズベンチ１００の収納のために位置決めするため、ユーザーがバックレスト１３０を最下位ポジションに位置決めすることができる。例えば、バックレスト１３０を降下させるため、ユーザーはロック機構２７０を外し、バックレスト１３０を第１ビーム部分１６０に向けて動かす。バックレスト１３０が最下位ポジションになると、バックレスト１３０は、そのポジション（例えば、ロック機構２７０を介して）に解放可能に固定される。加えてまたはその代わりに、ユーザーはシート１３２を第２ポジションに位置決めしてもよい。例えば、上述のように、ユーザーはシート１３２を押し上げ、第１トラック部分２５４から第２トラック部分２５６にシートポスト１４２のピン２５２を移行させる。ピン２５２が第２トラック部分２５６内に入ると、シート１３２は第２ビーム部分１６２に向けて降下され、第２ポジションになる。
【００４４】
シート１３２が第２ポジションをとると、部材１０４は、作動ポジションから第２ポジションに動くことができる。部材１０４を第２ポジションに動かすために、ユーザーが調節組立体２００を作動させる。例えば、ユーザーは、アクチュエータ２３２を押し下げる、回転させる、または他の方法で作動させ、ピン２２０を第１戻り止め２０２から外し、トラック２１０の移行部分２１２内にピン２２０を位置決めする。ピン２２０がトラック２１０の移行部分２１２内に位置決めされると、部材１０４は、枢動軸１１０を中心にシート１３２に向かって上方に回転される。部材１０４は、ピン２２０が第２戻り止め２０４の近傍に位置決めされるまで枢動軸１１０を中心に回転し、位置決めされる点で、ピン２２０は調節組立体２００のばね２３０の付勢によって第２戻り止め２０４に自動的に係合する。
【００４５】
部材１０４が第２ポジションに位置決めされると、ホイールハウジング３５２と部材１０４上に形成された支持パッド３６２、１９２が支持面に係合するように、ユーザーは、エクササイズベンチ１００を一方に傾けることができる。図９に示すように、関連した幾何学的配置と要素の位置決めは、エクササイズベンチ１００を実質的に垂直に収納するためのものである。エクササイズベンチ１００が垂直に位置決めされたとき、エクササイズベンチの重心は、エクササイズベンチ１００のあらゆる方向への所望しない転倒を制限し、故に、エクササイズベンチ１００が転倒することに起因するケガや所有品のダメージの可能性を減らすように位置決めされる。
【００４６】
上述とは、ほぼ逆の順番で、エクササイズベンチ１００は、収納場所から取り出され、作動ポジションに位置決めすることができる。例えば、ユーザーは、垂直ポジションから、第１と第２の床支持体１８０、１８２が支持面に係合するまで、エクササイズベンチ１００を降下させることができる。エクササイズベンチ１００を降下させると、ピン２２０を第２戻り止め２０４から解放し、ピン２２０が調節組立体２００を介して第１戻り止め２０２に自動的に係合するまで、部材１０４を下方に回転させることにより、第１ポジションに移動させることができる。部材１０４が第１ポジションへ降下させられると、シートトラック２５０の第１トラック部分２５４内にピン２５２が受けられるまでシート１３２を上昇させることによって、シート１３２を第１ポジションへ上昇させることができ、シート１３２は第１ポジションに降下させられる。行われるエクササイズに応じて、バックレスト１３０をフレーム１０２に対する所望ポジションまで上昇させることができる。
【００４７】
エクササイズベンチ１００は種々の材料及び手段から形成することができる。例えば、エクササイズベンチ１００は金属、プラスチック、または十分な強度を有する他の適切な材料から形成できる。いくつかの実施形態では、エクササイズベンチ１００の複数の部分（例えば、フレーム１０２、部材１０４など）は、金属または他の熱成形可能な材料から押し出し成形できる。金属は、アルミニウム、鋼、チタン、または他のあらゆる適切な材料、あるいは合金、または合成物を含む。プラスチックは、熱可塑性素材（自己強化または繊維強化）、ナイロン、低密度ポリエチレン、ＡＢＳ、ポリカーボネート、ポリプロピレン、ポリスチレン、ＰＶＣ、ポリアミド、及び／またはＰＴＦＥなどを含み、プラグ成形、ブロー成形、射出成形、押し出し成形などのようにあらゆる適切な方法で形成または成形できる。いくつかの実施形態では、エクササイズベンチ１００の要素（例えば、フレーム１０２、第１と第２の床支持体１８０、１８２、及び部材１０４など）の少なくともいくつかは、耐久性増加のために、ビニル、ゴム加工された材料、または他のコーティングで被覆されている。
【００４８】
全ての相対な及び方向に関する表現（上方、下方、上向き、下向き、左、右、左向き、右向き、トップ、ボトム、横、上、下、前、中間、後ろ、垂直、水平などを含む）は、本明細書で説明される特定の実施形態を読者が理解することを目的にした例により与えられている。これらの表現は、特許請求の範囲で明確に特定されない限りは、要件または制限として、特に、ポジション、配向、または使用として読まれるべきではない。接続に関する表現（例えば、取り付けられる、連結される、接続される、接合されるなど）は幅広く解釈されるようになっており、要素の接続部間の中間部材及び部材間の相対運動を含む。特許請求の範囲で明確にされない限り、接続に関する表現が２つの要素が直接接続されている、相互に固定関係にあることを必然的に意味しない。
【００４９】
当業者は、本明細書に開示された実施形態が、例示であり、ただし制限的なものでないことを理解する。したがって、上述の説明または添付図が含有している事項は、例示であり、制限的なものとされるべきではない。以下の特許請求の範囲は、本明細書で説明された全ての包括的な且つ特定の特徴及び語義の問題で表現しきれない本発明の方法とシステムの概念の全ての表現を含むように意図されている。
【図１】
0006957655.tif 000002
【図２】
0006957655.tif 000003
【図３】
0006957655.tif 000004
【図４】
0006957655.tif 000005
【図５】
0006957655.tif 000006
【図６】
0006957655.tif 000007
【図７】
0006957655.tif 000008
【図８】
0006957655.tif 000009
【図９】
0006957655.tif 000010
【図１０】
0006957655.tif 000011
【図１１】
0006957655.tif 000012
【図１２】
0006957655.tif 000013
【図１３】
0006957655.tif 000014
【図１４】
0006957655.tif 000015
【図１５】
0006957655.tif 000016
【図１６】
0006957655.tif 000017
【図１７】
0006957655.tif 000018
【図１８】
0006957655.tif 000019
【図１９】
0006957655.tif 000020
【図２０】
0006957655.tif 000021
【図２１】
0006957655.tif 000022
【図２２】
0006957655.tif 000023
【図２３】
0006957655.tif 000024
【図２４】
0006957655.tif 000025
【図２５】
0006957655.tif 000026
【図２６】
0006957655.tif 000027
【図２７】
0006957655.tif 000028
【図２８】
0006957655.tif 000029
【図２９】
0006957655.tif 000030
【図３０】
0006957655.tif 000031
【図３１】
0006957655.tif 000032
【図３２】
0006957655.tif 000033
【図３３】
0006957655.tif 000034
【図３４】
0006957655.tif 000035
【図３５】
0006957655.tif 000036
【図３６】
0006957655.tif 000037
【図３７】
0006957655.tif 000038
【図３８】
0006957655.tif 000039
【図３９】
0006957655.tif 000040
【図４０】
0006957655.tif 000041
【図４１】
0006957655.tif 000042
【図４２】
0006957655.tif 000043